(57)【要約】【課題】コーヒーメーカーの背部に着脱自在に設置される水タンクにおいてその蓋の扱いが便利なようにすることである。【解決手段】水タンク１８にヒンジ部４０を介して蓋２９を取付け、その蓋２９をヒンジばねにより開放方向に付勢し、水タンク１８を取付け部４に設置する際に、本体１の上端面１３に蓋２９の側面を接触させて、水タンク１８の設置と同時に蓋２９を勝手に回転閉鎖させるようにした。【選択図】  図６
2004236761.tif 000002
【特許請求の範囲】
【請求項１】
本体の背部に水タンク取付け部を設け、その水タンク取付け部に蓋付きの水タンクをその背面が前記本体の背面に接して着脱できるように設置したコーヒーメーカーの水タンク取付け構造において、上記蓋を水タンクの背面側上縁部にヒンジ部により開閉自在に取付けるとともに、ヒンジばねにより該蓋に開放方向の付勢力を付与し、前記本体の上端面の高さを前記蓋を嵌着した水タンクの設置後の高さとほぼ同等に形成し、前記水タンクの設置時に該蓋の一部を前記上端面に接触させつつ押し下げることにより該蓋を閉鎖させることを特徴とするコーヒーメーカーの水タンク取付け構造。
【請求項２】
前記蓋のヒンジ部を水タンクの背面側に所要長さだけ突き出した位置に設けるとともに、前記本体の上端面後部に該ヒンジ部を受け入れる凹部と、前記蓋の干渉を避けるための傾斜面を設けたことを特徴とする請求項１に記載のコーヒーメーカーの水タンク取付け構造。
【請求項３】
本体の背部に水タンク取付け部を設け、その水タンク取付け部に水タンクをその背面が前記本体の背面に接して着脱できるように設置したコーヒーメーカーの水タンク取付け構造において、前記本体の上端面の高さを前記蓋を嵌着した水タンクの設置後の高さとほぼ同等に形成し、該本体の上端面後部に取付けた蓋をヒンジばねにより開放方向に付勢するとともに、水タンクの設置時に前記蓋を該水タンクに嵌着係止させるようにしたことを特徴とするコーヒーメーカーの水タンク取付け構造。
【請求項４】
前記蓋のヒンジ部を該水タンクの背面側に所要長さだけ突き出して左右一対設け、その左右のヒンジ部間の本体上面に蓋の開閉方向に揺動自在にばね受けを取付け、そのばね受けと前記蓋の後端面との間に蓋付勢ばねを介在したことを特徴とする請求項３に記載のコーヒーメーカーの水タンク取付け構造。
【発明の詳細な説明】
【０００１】
【発明の属する技術分野】
この発明は、コーヒーメーカーの水タンク取付け構造に関するものである。
【０００２】
【従来の技術】
コーヒーメーカーにおいては、コーヒーのドリップに必要な湯を沸かす加熱部が設けられるとともに、その加熱部に水を供給する水タンクが本体背部に設けた水タンク取付け部に着脱自在に設置され、その水タンクには蓋が嵌着される。（例えば、特許文献１参照）。
【０００３】
【特許文献１】特公平７−６８号公報（第２図）
【０００４】
【発明が解決しようとする課題】
前記水タンクの蓋は、水タンクとは別体の部品として構成されているため、水タンクに水を入れる際は、使用者が手を使ってその蓋を取外さなければならず、また、コーヒーをドリップする際には同様に手を使って蓋を被せなければならないため手間がかかる問題があった。また、蓋を取外した際に、場合によってはこれを紛失することもあった。
【０００５】
そこで、この発明は、蓋を水タンク又はコーヒーメーカー本体に取付けることによりこれらの不都合を解消した使い勝手のよい水タンク取付け構造を提供することを課題とする。
【０００６】
【課題を解決するための手段】
上記の課題を解決するために、この発明は、本体の背部に水タンク取付け部を設け、その水タンク取付け部に蓋付きの水タンクをその背面が前記本体の背面に接して着脱できるように設置したコーヒーメーカーの水タンク取付け構造において、上記蓋を水タンクの背面側上縁部にヒンジ部により開閉自在に取付けるとともに、ヒンジばねにより該蓋に開放方向の付勢力を付与し、前記本体の上端面の高さを前記蓋を嵌着した水タンクの設置後の高さとほぼ同等に形成し、前記水タンクの設置時に該蓋の一部を前記上端面に接触させつつ押し下げることにより該蓋を閉鎖させるようにしたものである。
【０００７】
上記の構成によると、本体の水タンク取付け部に水タンクを設置した状態において蓋はそのヒンジ側の面が本体背面に接して閉鎖される。また、その水タンクを取付け部から外すと蓋は自由となるのでヒンジばねにより付勢されて開放される。また、水タンクを取付け部に設置すると、その設置完了の直前に蓋が本体の上端面に接触して強制的に回転閉鎖される。
【０００８】
また、前記蓋のヒンジ部を水タンクの背面側に所要長さだけ突き出した位置に設けるとともに、前記本体の上端面に該ヒンジ部を受け入れる凹部と、前記蓋の干渉を避けるための傾斜面を設けた構成をとることができる。
【０００９】
また、前記の課題を解決するのためのその他の手段として、この発明は、本体の背部に水タンク取付け部を設け、その水タンク取付け部に水タンクをその背面が前記本体の背面に接して着脱できるように設置したコーヒーメーカーの水タンク取付け構造において、前記本体の上端面の高さを前記蓋を嵌着した水タンクの設置後の高さとほぼ同等に形成し、該本体の上端面に取付けた蓋をヒンジばねにより開放方向に付勢するとともに、水タンクの設置時に前記蓋を該水タンクに嵌着係止させるようにしたものである。
【００１０】
上記の構成によると、本体の水タンク取付け部に水タンクを設置した状態においては、蓋は水タンクに係合され閉鎖状態を維持する。また、水タンクを取付け部から外すに先立って蓋の係合を解除すると、蓋は自由となるのでヒンジばねにより付勢されて開放される。また、水タンクをその取付け部に設置する際は、水タンクを取付け部に設置したのち、本体の蓋を操作して水タンクに被せて係合させる。
【００１１】
【発明の実施の形態】
以下、この発明の実施形態を添付図面に基づいて説明する。図１から図４に示した第１の実施形態のコーヒーメーカーは、本体１の底部２内部に加熱部が設けられ、本体１の前面上部にドリップ部３、本体１の背面部に水タンク取付け部４が設けられる。水タンク取付け部４は本体１の背面５と、底部２上に設けられた設置面６とからなり、設置面６には周壁７が設けられる。その設置面６には前記加熱部に通じた継手部８、検知スイッチ９等が設けられる。本体１の背面５にはその内部構造に応じて後方に突き出した突出部１１が形成され、その突出部１１の中央上端部にＬ形のフック１２が設けられる。そのフック１２の左右において、上端面１３の後部に凹部１４、１４’を設け、さらに各凹部１４、１４’から左右の端部間に傾斜面１６、１６を設けている。
【００１２】
水タンク１８は、本体１の背面５に接する背面部１９と、周壁７に沿った周面部２１、設置面６に対向した底面部２２を有し、上端面が開放されている。また、底面部２２から下向きに背面部１９が延出され、さらに、周面部２１も段差部２３を介して下方に延出され、両方の延出部が全体として周壁７の内側面に合致する嵌合部２４となっている。さらに、前記の嵌合部２４と周面部２１にわたり上下方向の取手用凹溝２５、２５が接近して２か所に設けられる。また、前記背面部１９の中央部分の外側面に、本体１の突出部１１に嵌合する上下方向の凹部２６が形成される。その凹部２６中央部に上下方向の凹溝２７（図２（ｄ）参照）が形成され、その凹溝２７の上端部に袋部２８を設けている。その袋部２８に前記のフック１２が係合される。
【００１３】
なお、水タンク１８の底面部２２には、前記水タンク取付け部４の継手部８に嵌合する弁部３０が下向きに突設される（図１参照）。
【００１４】
前記水タンク１８の上端開放面に蓋２９が開閉自在に取付けられる。蓋２９の外周面と水タンク１８の上端部内側面に相互に嵌合するインロー部３１、３１’が形成される。
【００１５】
前記水タンク１８の背面部１９の上端部外側面において、前記凹部２６の両側に一対のヒンジ軸受部３２、３２’が後方に所要長さだけ突き出して設けられる。また、これに対応した蓋ヒンジ部３３、３３’が蓋２９の背面側の側面３４から後方に突き出して設けられる。ヒンジ軸受部３２、３２’と、これらに対応した蓋ヒンジ部３３、３３’を相互に接近対向させるとともに、ヒンジピン３５、３５’を挿通することにより左右一対のヒンジ部３６、３６’が構成される。一方のヒンジ部３６’においては、前記の袋部２８から後方に突き出した軸受凸部３７によりヒンジピン３５’の一端部が支持される。その軸受凸部３７と蓋ヒンジ部３３’の間においてヒンジピン３５’の周りにヒンジばね３８が装着され、そのヒンジばね３８により蓋２９が開放方向に付勢される。蓋２９は通常の状態においてはその付勢力により９０度を越える角度に開放状態にある（図２（ｃ）の二点鎖線参照）。
【００１６】
前記の水タンク１８を設置する際は、その取手用凹溝２５、２５を把持して、図３の一点矢印で示すように、水タンク取付け部４に設置する。設置開始から設置完了までの状態を図４（ａ）から（ｃ）に示す。図４（ａ）は、蓋２９の袋部２８を本体１のフック１２上に臨ませるとともに、蓋２９の側面３４を本体１の上端面１３に接触させた状態を示す。この状態で、図示を省略しているが、前記のヒンジ部３６は本体１の凹部１４上に臨み、他方のヒンジ部３６’及び軸受凸部３７は他方の凹部１４’上に臨む。また、水タンク１８底部の嵌合部２４が本体１の設置面６上に臨む。
【００１７】
図４（ａ）の状態から水タンク１８を押し下げると蓋２９は上端面１３との接点において、ヒンジばね３８のばね力に打ち勝って閉鎖方向に強制回転されながら傾斜面１６の方向に移動する。袋部２８はフック１２に対する係合を開始する（図４（ａ）の二点鎖線参照）。蓋２９は、傾斜面１６の存在により干渉することなく閉鎖方向に回転しつつ移動し、９０度以内の傾斜角になると自重によって回転し、図４（ｂ）の状態を経て完全に閉鎖する（図４（ｃ）参照）。蓋２９が閉鎖状態になると、その側面３４が本体１の背面５に接触して蓋２９の開放を規制する。また、袋部２８はフック１２に完全に係合するとともに、前記のヒンジ部３６は凹部１４に、またヒンジ部３６’と軸受凸部３７は凹部１４’にそれぞれ嵌入される。また、図５に示すように、水タンク１８底部の嵌合部２４が設置面６の周壁７の内側面に嵌合され、段差部２３が周壁７の上縁に載る。さらに、弁部３０が継手部８に嵌入され、弁部３０が開放され加熱部に水を供給する。また、これと同時に水タンク１８の嵌合部２４の底面が検知スイッチ９に接してこれをオンにする。検知スイッチ９がオンになると、加熱部のヒーター（図示省略）に通電され湯沸かしが開始される。検知スイッチ９は水タンク１８が設置されない状態でヒーターに通電されることを防止する安全スイッチの役目を果たす。
【００１８】
前記のようにして水タンク１８をその取付け部４に設置した状態（図３（ｂ）参照）においては、上端面１３と蓋２９の高さはほぼ等しくなるように設定される。両者の高さを揃えるのは、その高さの差が大きいと本体１の上端面１３による蓋２９の回転閉鎖作用及び背面５による開放規制が確実に行われないからである。
【００１９】
水タンク１８に水を補給する際は、取手用凹溝２５、２５を把持して、上方に持ち上げると、水タンク１８はその取付け部４から分離され、蓋２９がヒンジばね３８のばね力により開放される。
【００２０】
なお、前記の実施形態においては、ヒンジ部３６、３６’が水タンク１８の背面部１９から後方に突き出した構成であるため、蓋２９が本体１の背面５と上端面１３との干渉することを避けるため、その上端面１３の後部を削除した形状の傾斜面１６、１６を形成している。しかし、図６（ａ）から（ｃ）に示すように、ヒンジ部４０の位置が水タンク１８の背面部１９上にある場合は、蓋２９の干渉を生じないため、前記のような傾斜面１６を設ける必要はない。蓋２９は上端面１３後部のコーナー部４１近辺に接触しながら回転し閉鎖される。
【００２１】
次に、図７から図９に示した第２の実施形態は、蓋２９を本体１側に取付けた点で前記第１の実施形態の場合と相違する以外、その他の構成は同様であるので、主として相違する部分について説明する。
【００２２】
即ち、本体１の上端面１３の背面部に沿った部分に段差部４２を設け、その段差部４２の中央部にもう一段凹入した軸受凹部４３を設けている（図８（ａ）（ｂ）参照）。その軸受凹部４３の左右内側面に対向したヒンジ軸受部４４、４４を設け、更にそれらの中間部にばね軸受部４５、４５を設けている。また、蓋２９の背面の中央部にヒンジ凹部４６を設け、その左右両側面から後方に突き出した一対のヒンジアーム４７、４７を設けている。各ヒンジアーム４７に設けた外向きのヒンジピン４８を各ヒンジ軸受部４４に挿入することによりヒンジ部４９、４９を構成している。
【００２３】
また、前記ばね軸受部４５、４５にばね受け筒５０を前後方向（蓋２９の開閉方向）に揺動自在に取付け、そのばね受け筒５０にコイルばね５１を収納している。また、蓋２９の前記ヒンジ凹部４６に傾斜したばね受け面５２を設け、前記コイルばね５１の自由端部をそのばね受け面５２に押し当てることにより、蓋２９に開放方向の付勢力を付与し、通常の状態では蓋２９を開放状態に保持している（図８（ｄ）の二点鎖線参照）。
【００２４】
第２の実施形態のその他の構成は、前記第１の実施形態の場合と同一であるので、同一部分には同一の符号を付して示すにとどめ、その説明を省略する。
【００２５】
以上述べた第２の実施形態の場合は、水タンク１８を水タンク取付け部４に設置する前は、図９（ａ）に示すように、蓋２９は開放位置に上がっている。水タンク１８を設置したのち、同（ｂ）のように、使用者の手で蓋２９を押し下げて閉鎖すると、同（ｃ）に示すように、蓋２９のインロー部３１に設けた小突起５３が水タンク１８側のインロー部３１’の小凹部５３’と係合して蓋２９を閉鎖状態に保持する。水タンク１８を外す場合は、小突起５３と小凹部５３’との係合を外すと、蓋２９は自由となりコイルばね５１の付勢力で開放される。
【００２６】
前記のようにして水タンク１８をその取付け部４に設置した状態（図９（ｂ）参照）においては、蓋２９が水タンク１８に嵌着可能なように、本体１の上端面１３と蓋２９の高さはほぼ等しくなるように設定される。
【００２７】
【発明の効果】
以上のように、この発明は、第１の実施形態について説明したように、コーヒーメーカーの水タンクの蓋をヒンジ部により水タンクに取付け、本体に設置する際に蓋の側面を本体に接触させることにより自動的に閉鎖されるようにしたので、蓋開閉の手間が省ける便利さがる。また、第２の実施形態について説明したように、水タンクの蓋をヒンジ部により本体に取付けると共に開放方向のばね力を付与し、閉鎖した蓋を水タンクに係合させることにより、水タンクとの係合を外すだけで蓋が開放され、水タンクの着脱時もそのばねの付勢力で開放状態に保持できるので、水タンクの着脱に支障を来たさない便利さがある。
【００２８】
また、上記のいずれの場合も、蓋が水タンク又は本体に一体に取付けられていうるので、蓋を紛失するおそれがない利点もある。
【図面の簡単な説明】
【図１】第１の実施形態の分解斜視図
【図２】（ａ）同上の水タンクの一部省略平面図
（ｂ）同上の水タンクの一部省略背面図
（ｃ）（ａ）図のｃ−ｃ線の断面図
（ｄ）同上の一部省略斜視図
【図３】（ａ）同上の使用状態の分解断面図
（ｂ）同上の使用状態の断面図
【図４】（ａ）〜（ｃ）同上の水タンク設置時の説明図
【図５】同上の使用状態の縦断正面図
【図６】（ａ）〜（ｃ）同上の変形例の設置時の説明図
【図７】第２の実施形態の分解斜視図
【図８】（ａ）同上の一部斜視図
（ｂ）同上の一部平面図
（ｃ）同上の一部断面図
（ｄ）同上の一部側面図
【図９】（ａ）同上の使用状態の分解断面図
（ｂ）同上の使用状態の断面図
（ｃ）同上のインロー部の拡大断面図
【符号の説明】
１  本体
２  底部
３  ドリップ部
４  水タンク取付け部
５  背面
６  設置面
７  周壁
８  継手部
９  検知スイッチ
１１  突出部
１２  フック
１３  上端面
１４、１４’  凹部
１６  傾斜面
１８  水タンク
１９  背面部
２１  周面部
２２  底面部
２３  段差部
２４  嵌合部
２５  取手用凹溝
２６  凹部
２７  凹溝
２８  袋部
２９  蓋
３０  弁部
３１、３１’  インロー部
３２，３２’  ヒンジ軸受部
３３、３３’  蓋ヒンジ部
３４  側面
３５、３５’  ヒンジピン
３６、３６’  ヒンジ部
３７  軸受凸部
３８  ヒンジばね
４０  ヒンジ部
４１  コーナー部
４２  段差部
４３  軸受凹部
４４  ヒンジ軸受部
４５  ばね軸受部
４６  ヒンジ凹部
４７  ヒンジアーム
４８  ヒンジピン
４９  ヒンジ部
５０  ばね受け筒
５１  コイルばね
５２  ばね受け面
５３  小突起
５３’  小凹部
【図１】
2004236761.tif 000003
【図２】
2004236761.tif 000004
【図３】
2004236761.tif 000005
【図４】
2004236761.tif 000006
【図５】
2004236761.tif 000007
【図６】
2004236761.tif 000008
【図７】
2004236761.tif 000009
【図８】
2004236761.tif 000010
【図９】
2004236761.tif 000011